(57)【要約】      （修正有）【課題】タブレットコンピュータ又はノートブックコンピュータの操作を容易とする支持手段を提供する。【解決手段】基板１及び懸吊ベルト２から構成され、タブレットコンピュータ又はノートブックコンピュータを載置する基板１の内側に支持延伸板１７を回動展開可能に配置する。さらに、支持延伸板１７を展開した状態で、懸吊ベルトを肩に掛け、支持延伸板端縁１７２を腹部に当てて基板１を傾斜して位置決めすることにより、基板上に載置したタブレットコンピュータ又はノートブックコンピュータを両手により操作を行うことができる。【選択図】図６
0003171241.tif 000002
【実用新案登録請求の範囲】
【請求項１】
基板及び懸吊ベルトから構成されるタブレットコンピュータ又はノートブックコンピュータの操作補助装置であって、
前記基板の前縁角部には、複数の係合孔が設けられると共に、前記基板の後縁には、隆起軸が設けられ、
前記隆起軸の内部には、位置決めロッドが配置され、前記位置決めロッドは、前記隆起軸の両側まで延伸されて、前記位置決めロッドを操作する係合レバーと連結され、前記位置決めロッドの端部には、係合部材が嵌設され、
前記基板の内側には、開口が設けられてその開口内には、開口に対応した形状の支持延伸板が配置され、前記基板の隆起軸を回転軸として前記基板と連結されると共に、その開口内の収納位置から約１８０度回動展開可能とし、
該支持延伸板を展開した後、前記係合レバーにより、前記位置決めロッドの係合部材を操作して前記支持延伸板に係合することにより、前記支持延伸板を位置決めし、
該支持延伸板の展開した端縁をユーザの腹部に当て、
前記懸吊ベルトは、一対の両端が前記支持延伸板上に固定され、ユーザの肩に掛けて懸吊すると共に前記懸吊ベルトの他の一対を前記基板の前記係合孔に係合して位置決めすることにより、前記基板を安定して支持するようにした、
ことを特徴とするタブレットコンピュータ又はノートブックコンピュータの操作補助装置。
【請求項２】
前記基板の前縁両端付近には、位置決め孔が対称に設けられ、前記支持延伸板の前縁両端には、支持軸がそれぞれ設けられて該支持軸に回動可能に支持保護片を設け、
前記支持保護片は、前記支持延伸板の前縁に水平にセットした状態でユーザの腹部に当接される保護片とし、
回動して立設した状態で前記基板を支持する支持脚柱として、前記基板の前記支持延伸板を所定の角度回動展開した後、前記支持保護片を回動させ、前記支持保護片の端部を前記基板の上記位置決め孔に係合して前記基板を傾斜状態で固定することにより、前記タブレットコンピュータ又はノートブックコンピュータを前記基板上に配置して使用することが可能としたことを特徴とする請求項１に記載のタブレットコンピュータ又はノートブックコンピュータの操作補助装置。
【請求項３】
前記支持延伸板の両側には、凹部が対称に設けられ、前記懸吊ベルトは、使用しない場合、前記凹部部分に巻いて収納することができることを特徴とする請求項１に記載のタブレットコンピュータ又はノートブックコンピュータの操作補助装置。
【請求項４】
前記係合レバーの外周上には、係合ブロックが延伸され、前記タブレットコンピュータ又はノートブックコンピュータが前記基板上に配置されたとき、前記タブレットコンピュータ又はノートブックコンピュータの底端が前記隆起軸に当接されて前記係合ブロックが前記タブレットコンピュータ又はノートブックコンピュータの底端に係合されることにより、前記タブレットコンピュータ又はノートブックコンピュータが浮き上がるのを防止し、安定性が高められることを特徴とする請求項１に記載のタブレットコンピュータ又はノートブックコンピュータの操作補助装置。
【考案の詳細な説明】
【技術分野】
【０００１】
本考案は、タブレットコンピュータ又はノートブックコンピュータの操作補助装置に関し、特に、基板及び懸吊ベルトから構成され、タブレットコンピュータ又はノートブックコンピュータが配置される基板を傾斜位置決めして使用したり、支持延伸板を展開した上、懸吊ベルトを組み合わせ、タブレットコンピュータ又はノートブックコンピュータを人体に安定して懸吊して使用したりすることにより、如何なる姿勢でも、両手でタブレットコンピュータ又はノートブックコンピュータを操作することができるタブレットコンピュータ又はノートブックコンピュータの操作補助装置に関する。
【背景技術】
【０００２】
現在、最も人気のあるコンピュータ装置である３Ｇ多機能携帯電話、タブレットコンピュータ及びノートブックコンピュータは、その機動性により、如何なる場所においても使用することができるという特性を有する。
【０００３】
インターネット機能を有する３Ｇ多機能携帯電話は、体積が小さい上、軽量であるため、使用するとき、一方の手の掌で握持し、他方の手で操作して使用する。また、両手を使用して入力する必要は、特になく、使用上、大きな問題や困難が発生することがない。しかし、タブレットコンピュータは、両手で入力する必要がある。一般に、タブレットコンピュータは、使用するとき、一方の手で握持して空中に支持したり、物体上又は膝上に置き、一方の手で軽く支持したりした上で、他方の手で操作して使用する。しかし、タブレットコンピュータは、体積が大きい上、重量が重いため、一方の手で握持するのみではタブレットコンピュータを安定させることができない上、容易に疲労したり、腱鞘炎になったり、放熱に不利になったりする。また、不注意により、タブレットコンピュータが手から滑落して損壊する虞もある。ノートブックコンピュータは、３Ｇ多機能携帯電話、タブレットコンピュータ及びノートブックコンピュータの中で体積が最大である上、重量も最も重い。このため、一般に、ノートブックコンピュータは、机上又は膝上に置いて使用される。しかし、この使用方式は、安定性に乏しく、入力に不便であり、視力を悪化させる恐れがある上、放熱に不利であり、ユーザが火傷する虞がある。また、配置場所から滑落して損壊する虞がある。
【０００４】
一般に、タブレットコンピュータ又はノートブックコンピュータを使用する場合、卓上に置き、机の前方に座って使用するほか、手で握持して起立させて使用したり、膝上に置いて座った状態で使用したり、手の平上に置いて傾斜状態で使用したりする。しかし、以上に示す方法でタブレットコンピュータ又はノートブックコンピュータを使用する場合、上述の欠点を有する。
【０００５】
従来技術においては、タブレットコンピュータ又はノートブックコンピュータの操作補助装置が存在しなかったため、実用性の高い操作補助装置を案出することができた場合、ユーザに高い利便性を提供することが可能となる。
【０００６】
上述した説明から分かるように、一般に、タブレットコンピュータ又はノートブックコンピュータは、その機動性により、如何なる場所においても使用することができる特性を有するため、卓上に固定して使用される状況は少ない。反対に、手で握持し、様々な場所で、様々な姿勢で使用したり、膝上に置いたり、手の平に置いて傾斜状態で使用したりする状況は多い。そこで、本考案の考案者は、タブレットコンピュータ又はノートブックコンピュータの操作を有効に補助することができる装置を案出した。
【先行技術文献】
【特許文献】
【０００７】
【特許文献１】特開２００２−１８２７８６号公報
【考案の概要】
【考案が解決しようとする課題】
【０００８】
本考案の目的は、タブレットコンピュータ又はノートブックコンピュータの操作補助装置を提供することにある。
【課題を解決するための手段】
【０００９】
本考案は、タブレットコンピュータ又はノートブックコンピュータの操作補助装置を提供するものである。本考案のタブレットコンピュータ又はノートブックコンピュータの操作補助装置は、基板及び懸吊ベルトから構成される。タブレットコンピュータ又はノートブックコンピュータが配置される基板の内縁には、支持延伸板が回動展開可能に配置される。支持延伸板を展開したとき、基板を傾斜位置決めして使用することができる。また、支持延伸板を展開した上、懸吊ベルトを組み合わせることにより、タブレットコンピュータ又はノートブックコンピュータを人体に安定して懸吊して使用することができる。これにより、ユーザは、如何なる姿勢でも、両手でタブレットコンピュータ又はノートブックコンピュータを操作することができる。
【考案の効果】
【００１０】
本考案のタブレットコンピュータ又はノートブックコンピュータの操作補助装置の基板の支持延伸板を展開して懸吊ベルトを組み合わせることにより、ユーザは、如何なる姿勢でも、タブレットコンピュータ又はノートブックコンピュータを両手で操作することができる。また、タブレットコンピュータ又はノートブックコンピュータが滑落して損壊する虞がない。また、ユーザは、近距離の好適な視覚角度又は距離から画面を見ることができるため、眼部への負担が増大することがない。また、ユーザは、タブレットコンピュータ又はノートブックコンピュータを両手で操作することができるため、腱鞘炎などの怪我の発生を低減することができる。
【図面の簡単な説明】
【００１１】
【図１】本考案の一実施形態によるタブレットコンピュータ又はノートブックコンピュータの操作補助装置の折り畳んだ状態を示す平面図及び側面図である。
【図２】本考案の一実施形態によるタブレットコンピュータ又はノートブックコンピュータの操作補助装置の折り畳んだ状態を示す背面図及び前面図である。
【図３】本考案の一実施形態によるタブレットコンピュータ又はノートブックコンピュータの操作補助装置を展開して基板を傾斜させた状態を示す斜視図である。
【図４】図３の状態のタブレットコンピュータ又はノートブックコンピュータの操作補助装置にタブレットコンピュータを配置した状態を示す側面図である。
【図５】図３の状態のタブレットコンピュータ又はノートブックコンピュータの操作補助装置にノートブックコンピュータを配置した状態を示す側面図である。
【図６】本考案の一実施形態によるタブレットコンピュータ又はノートブックコンピュータの操作補助装置の支持延伸板を展開し、懸吊ベルトを取り付けた状態を示す斜視図である。
【図７】本考案の一実施形態によるタブレットコンピュータ又はノートブックコンピュータの操作補助装置の基板と支持延伸板との位置関係を示す断面図である。
【図８】本考案の一実施形態によるタブレットコンピュータ又はノートブックコンピュータの操作補助装置の位置決めロッドの係合部材を示す図７の線８−８に沿った断面図である。
【図９】本考案の一実施形態によるタブレットコンピュータ又はノートブックコンピュータの操作補助装置の位置決めロッドの係合部材に支持延伸板が係合された状態を示す図７の線９―９に沿った断面図である。
【図１０】図６の状態のタブレットコンピュータ又はノートブックコンピュータの操作補助装置にノートブックコンピュータを配置した状態を示す斜視図である。
【図１１】本考案の一実施形態によるタブレットコンピュータ又はノートブックコンピュータの操作補助装置の支持延伸板を展開し、タブレットコンピュータを配置し、ユーザが起立した状態で使用する状態を示す側面図である。
【図１２】本考案の一実施形態によるタブレットコンピュータ又はノートブックコンピュータの操作補助装置の支持延伸板を展開し、ノートブックコンピュータを配置し、ユーザが起立した状態で使用する状態を示す側面図である。
【図１３】本考案の一実施形態によるタブレットコンピュータ又はノートブックコンピュータの操作補助装置の懸吊ベルトを起立した状態のユーザに取り付けた状態を示す背面図である。
【図１４】本考案の一実施形態によるタブレットコンピュータ又はノートブックコンピュータの操作補助装置の支持延伸板を展開し、タブレットコンピュータを配置し、ユーザが椅子に座った状態で使用する状態を示す側面図である。
【図１５】本考案の一実施形態によるタブレットコンピュータ又はノートブックコンピュータの操作補助装置の支持延伸板を展開し、ノートブックコンピュータを配置し、ユーザが椅子に座った状態で使用する状態を示す側面図である。
【図１６】本考案の一実施形態によるタブレットコンピュータ又はノートブックコンピュータの操作補助装置の支持延伸板を展開し、タブレットコンピュータを配置し、ユーザが揺り椅子に座った状態で使用する状態を示す側面図である。
【図１７】本考案の一実施形態によるタブレットコンピュータ又はノートブックコンピュータの操作補助装置の支持延伸板を展開し、ノートブックコンピュータを配置し、ユーザが揺り椅子に座った状態で使用する状態を示す側面図である。
【図１８】本考案の一実施形態によるタブレットコンピュータ又はノートブックコンピュータの操作補助装置の支持延伸板を展開し、タブレットコンピュータを配置し、ユーザが地面に座った状態で使用する状態を示す側面図である。
【図１９】本考案の一実施形態によるタブレットコンピュータ又はノートブックコンピュータの操作補助装置の支持延伸板を展開し、ノートブックコンピュータを配置し、ユーザが地面に座った状態で使用する状態を示す側面図である。
【考案を実施するための形態】
【００１２】
図１及び図２を参照する。図１及び図２に示すように、本考案のタブレットコンピュータ又はノートブックコンピュータの操作補助装置は、基板１及び懸吊ベルト２から構成される。基板１の前縁角部には、複数の係合孔１１が設けられる。基板１の前縁両端付近には、位置決め孔１２が対称に設けられる。
基板１の後縁には、隆起軸１３が設けられ、隆起軸１３の内部には、位置決めロッド１４が配置される。位置決めロッド１４は、隆起軸１３の両端まで延伸されて係合レバー１５と連結される。
係合レバー１５は、位置決めロッド１４の移動を制御する。また、位置決めロッド１４には、ばね１４１が配置され、端部に係合部材１４２が嵌設される。
【００１３】
係合レバー１５の外周上には、係合ブロック１５１が延伸される。タブレットコンピュータＰ又はノートブックコンピュータＮが基板１上に配置されたとき、タブレットコンピュータＰ又はノートブックコンピュータＮの底端が隆起軸１３に当接されて、係合ブロック１５１がタブレットコンピュータＰ又はノートブックコンピュータＮの底端に係合されることにより、タブレットコンピュータＰ又はノートブックコンピュータＮが浮き上がるのを防止し、安定性を高めることができる。
【００１４】
基板１の内側には、開口１６が設けられる。開口１６内には、開口に対応した形状の支持延伸板１７が配置される。基板１の隆起軸１３内の位置決めロッド１４を回転軸として基板１と支持延伸板１７とが連結される。これにより、支持延伸板１７は、基板１に対して展開及び収納機能を有する。
【００１５】
上述の支持延伸板１７の前縁両端には、支持軸１７１がそれぞれ設けられる。支持軸１７１には、支持保護片１７２が嵌入される。支持保護片１７２は、支持延伸板１７の前縁に水平に貼設されるか、或いは、回動されることにより、基板１を支持する支持脚柱とされる。また、支持延伸板１７の両側には、凹部１７３が対称に設けられる。
【００１６】
懸吊ベルト２は、両端が支持延伸板１７に固定される。懸吊ベルト２は、使用しない場合、支持延伸板１７の凹部１７３部分に巻いて収納することができる。
【００１７】
図３〜図５を参照する。図３〜図５に示すように、基板１の支持延伸板１７を所定の角度回動展開して、支持保護片１７２を回動させ、支持保護片１７２の端部を基板１の位置決め孔１２に係合することにより、基板１を傾斜状態で固定することができる。これにより、タブレットコンピュータＰ又はノートブックコンピュータＮを基板１上に配置し、タブレットコンピュータＰ又はノートブックコンピュータＮのスタンドとして使用することができる。
【００１８】
図６に示すように、基板１の支持延伸板１７を約１８０度回動展開した後、図７〜図９に示すように、係合レバー１５により、位置決めロッド１４の係合部材１４２を制御して支持延伸板１７に係合することにより、支持延伸板１７を位置決めすることができる。また、懸吊ベルト２を展開した後、懸吊ベルト２の一方側をユーザの肩に懸吊し、懸吊ベルト２の他の一部を基板１の係合孔１１に係合してセットすることができる。支持延伸板１７の支持保護片１７２が設けられた端縁は、ユーザの腹部に当接される。図１０に示すように、ユーザは、タブレットコンピュータＰ又はノートブックコンピュータＮを基板１上に安定的に配置することができ、係合レバー１５の係合ブロック１５１がタブレットコンピュータＰ又はノートブックコンピュータＮの底端に係合される。これにより、ユーザは、タブレットコンピュータＰ又はノートブックコンピュータＮを様々な姿勢で両手で操作することができる。各種の使用状態は、図１１〜図１９に示す。
【符号の説明】
【００１９】
１  基板
１１  係合孔
１２  位置決め孔
１３  隆起軸
１４  位置決めロッド
１４１  ばね
１４２  係合部材
１５  係合レバー
１５１  係合ブロック
１６  開口
１７  支持延伸板
１７１  支持軸
１７２  支持保護片
１７３  凹部
２  懸吊ベルト
Ｐ  タブレットコンピュータ
Ｎ  ノートブックコンピュータ
【図１】
0003171241.tif 000003
【図２】
0003171241.tif 000004
【図３】
0003171241.tif 000005
【図４】
0003171241.tif 000006
【図５】
0003171241.tif 000007
【図６】
0003171241.tif 000008
【図７】
0003171241.tif 000009
【図８】
0003171241.tif 000010
【図９】
0003171241.tif 000011
【図１０】
0003171241.tif 000012
【図１１】
0003171241.tif 000013
【図１２】
0003171241.tif 000014
【図１３】
0003171241.tif 000015
【図１４】
0003171241.tif 000016
【図１５】
0003171241.tif 000017
【図１６】
0003171241.tif 000018
【図１７】
0003171241.tif 000019
【図１８】
0003171241.tif 000020
【図１９】
0003171241.tif 000021